(57)【要約】【課題】ユーザに煩わしさを感じさせずにURL情報を登録する。【解決手段】ウェブページ閲覧機能を有する画像形成装置１０は、ユーザ端末からジョブ実行命令を受信するジョブ受信部１４と、受信したジョブ実行命令を解析するジョブ解析部１５と、解析結果に基づいてジョブを実行するジョブ実行部１６と、受け付けられたジョブ実行命令にウェブページを特定するURL情報が含まれていれば、当該URL情報を用いてウェブページを閲覧することができるように、ジョブ実行命令を発したユーザのユーザ識別情報とジョブ実行命令に含まれていたURL情報とを対応付けて登録するジョブ登録部１７とを備える。【選択図】図２
2008271185.tif 000002
【特許請求の範囲】
【請求項１】
ウェブページ閲覧機能を有する画像形成装置であって、
ユーザからジョブの対象となるウェブページを特定するURI情報とユーザ識別情報とを含むジョブ実行命令を受け付けるジョブ受付手段と、
受け付けられたジョブ実行命令に基づいてジョブを実行するジョブ実行手段と、
受け付けられたジョブ実行命令に含まれているURI情報を用いてウェブページを閲覧することができるように、前記ジョブ実行命令に含まれているURI情報とユーザ識別情報とを対応付けて登録する登録手段と
を備えることを特徴とする画像形成装置。
【請求項２】
前記画像形成装置は、さらに、
ユーザから操作パネルを介してユーザ識別情報を含むログイン命令を受け付けるログイン命令受付手段と、
受け付けられたログイン命令に含まれるユーザ識別情報に対応して登録されているURI情報を用いてウェブページを表示する表示手段と
を備えることを特徴とする請求項１に記載の画像形成装置。
【請求項３】
前記表示手段は、受け付けられたユーザ識別情報に対応して登録されているURI情報が複数あれば、最後に登録されたURI情報を用いてウェブページを表示すること
を特徴とする請求項２に記載の画像形成装置。
【請求項４】
前記表示手段は、さらに、最後に登録されたURI情報が登録されてから所定期間が経過していれば、最後に登録されたURI情報により特定されるウェブページに代えてメニュー画面を表示すること
を特徴とする請求項３に記載の画像形成装置。
【請求項５】
前記表示手段は、受け付けられたユーザ識別情報に対応して登録されているURI情報が複数あれば、ユーザにより選択されたURI情報を用いてウェブページを表示すること
を特徴とする請求項２に記載の画像形成装置。
【請求項６】
前記ジョブ受付手段は、前記ジョブ実行命令を、ユーザ端末を介して受け付け、
前記ジョブ実行命令は、さらに、前記ユーザ端末において前記ジョブの対象となるウェブページよりも前に閲覧されていた複数のウェブページを特定する複数のURI情報と前記複数のウェブページのユーザ端末における閲覧順を特定する閲覧順情報とを含み、
前記登録手段は、さらに、前記ジョブ実行命令に含まれていた複数のURI情報と閲覧順情報とを前記ユーザ識別情報に対応付けて登録し、
前記表示手段は、さらに、ユーザ操作に従って前記複数のウェブページを前記閲覧順情報により特定される閲覧順に表示すること
を特徴とする請求項２に記載の画像形成装置。
【請求項７】
前記登録手段は、さらに、ジョブ実行命令に含まれているURI情報により特定されるウェブページにリンクされているウェブページを特定するURI情報をユーザ識別情報に対応付けて登録し、
前記表示手段は、リンクされているウェブページを表示させるユーザ操作を受け付けたとき、当該リンクされているウェブページを表示すること
を特徴とする請求項２に記載の画像形成装置。
【請求項８】
前記ジョブ受付手段は、前記ジョブ実行命令を、ログインをしたユーザから操作パネルを介して受け付け、あるいは、ユーザ端末を介して受け付けること
を特徴とする請求項２に記載の画像形成装置。
【請求項９】
前記ジョブ受付手段は、ログインをしたユーザから操作パネルを介して前記ジョブ実行命令を受け付け、
前記表示手段は、さらに、ログアウトをした前記ユーザからログイン命令を受け付けたとき、前記ログアウトをしたときから所定期間が経過していれば、登録されたURI情報により特定されるウェブページに代えてメニュー画面を表示すること
を特徴とする請求項２に記載の画像形成装置。
【請求項１０】
ウェブページ閲覧機能を有する画像形成装置に、
ユーザからジョブの対象となるウェブページを特定するURI情報とユーザ識別情報とを含むジョブ実行命令を受け付けるジョブ受付ステップと、
受け付けられたジョブ実行命令に基づいてジョブを実行するジョブ実行ステップと、
受け付けられたジョブ実行命令に含まれているURI情報を用いてウェブページを閲覧することができるように、前記ジョブ実行命令に含まれているURI情報とユーザ識別情報とを対応付けて登録する登録ステップと
を実行させることを特徴とするプログラム。
【発明の詳細な説明】
【技術分野】
【０００１】
本発明は、MFP(Multi Functional Peripheral)等に用いられる画像形成装置及びプログラムに関し、特に、ウェブページ閲覧機能を有する画像形成装置及びプログラムに関する。
【背景技術】
【０００２】
近年、ウェブページ閲覧機能を有する画像形成装置が提案されている。また、このような画像形成装置にウェブページを特定するURL(Uniform Resource Locator)情報を容易に登録することができる技術が提案されている。例えば、特許文献１には、URL情報が書き込まれた原稿をスキャナで読み取り、OCR(Optical Character Reader) 処理を用いてURL情報を抽出して登録する画像形成装置が開示されている。このようにすれば、操作パネルを用いてURL情報を一文字ずつ入力する必要がなくなり、画像形成装置にURL情報を容易に登録することができる。
【特許文献１】特開２００６−４１６２３号公報
【発明の開示】
【発明が解決しようとする課題】
【０００３】
画像形成装置の具体的な利用状況では、ユーザがユーザ端末からURL情報を含むジョブ実行命令を発して画像形成装置にジョブを実行させ、その後、操作パネルから同じジョブを実行させようとする場合が考えられる。さらに、操作パネルからジョブを実行させることを当初から予期できない場合もあると考えられる。例えば、ユーザ端末で閲覧していたウェブページを画像形成装置にプリントさせ、プリントされた用紙を見てはじめてプリント設定の誤りに気付き、操作パネルから適切なプリント設定で改めてウェブページをプリントさせるような場合である。
【０００４】
このように同じジョブを再度実行させようとする場合、従来の画像形成装置では操作パネルを用いてURL情報を一文字ずつ入力しなければならないので、ユーザを煩わせることになる。また特許文献１に開示された画像形成装置ではURL情報が書き込まれた原稿を予め用意しておかなければならないので、上述のようなジョブの実行を当初から予期できないような状況では効果がない。
【０００５】
そこで本発明は、ユーザに煩わしさを感じさせずにURL情報を登録することができる画像形成装置及びプログラムを提供することを目的とする。
【課題を解決するための手段】
【０００６】
上記課題を解決するために、本発明に係る画像形成装置は、ウェブページ閲覧機能を有する画像形成装置であって、ユーザからジョブの対象となるウェブページを特定するURI情報とユーザ識別情報とを含むジョブ実行命令を受け付けるジョブ受付手段と、受け付けられたジョブ実行命令に基づいてジョブを実行するジョブ実行手段と、受け付けられたジョブ実行命令に含まれているURI情報を用いてウェブページを閲覧することができるように、前記ジョブ実行命令に含まれているURI情報とユーザ識別情報とを対応付けて登録する登録手段とを備える。
【０００７】
上記課題を解決するために、本発明に係るプログラムは、ウェブページ閲覧機能を有する画像形成装置に、ユーザからジョブの対象となるウェブページを特定するURI情報とユーザ識別情報とを含むジョブ実行命令を受け付けるジョブ受付ステップと、受け付けられたジョブ実行命令に基づいてジョブを実行するジョブ実行ステップと、受け付けられたジョブ実行命令に含まれているURI情報を用いてウェブページを閲覧することができるように、前記ジョブ実行命令に含まれているURI情報とユーザ識別情報とを対応付けて登録する登録ステップとを実行させる。
【発明の効果】
【０００８】
上記構成によれば、URI情報がジョブ実行命令に含まれていれば、URI情報を用いてウェブページを閲覧することができるようにURI情報が登録される。したがって、ユーザに煩わしさを感じさせずにURI情報を登録することができる。なおURI(Uniform Resource Identifier)情報とは、URL情報を含む概念であり、ネットワーク上に存在する情報資源の場所を特定する情報である。
【０００９】
また、前記画像形成装置は、さらに、ユーザから操作パネルを介してユーザ識別情報を含むログイン命令を受け付けるログイン命令受付手段と、受け付けられたログイン命令に含まれるユーザ識別情報に対応して登録されているURI情報を用いてウェブページを表示する表示手段とを備えることとしてもよい。
上記構成によれば、ユーザはログインをするだけでそのユーザに対応するウェブページを表示させることができる。したがってユーザに煩わしさを感じさせずにウェブページを閲覧させることができる。
【００１０】
また、前記表示手段は、受け付けられたユーザ識別情報に対応して登録されているURI情報が複数あれば、最後に登録されたURI情報を用いてウェブページを表示することとしてもよい。
画像形成装置はURI情報を含むジョブ実行命令を受け付けるたびに当該URI情報を登録するので、ユーザ識別情報に対応して複数のURI情報が登録されている場合がある。このような場合、上記構成によれば、最後に登録されたURI情報により特定されるウェブページが表示される。一般にユーザが改めてジョブを実行する場合、最後に登録されたURI情報を用いてジョブを実行することが多いと考えられる。したがって、最後に登録されたURI情報により特定されるウェブページを選択的に表示することで、ユーザの利便性を向上させることができる。
【００１１】
また、前記表示手段は、さらに、最後に登録されたURI情報が登録されてから所定期間が経過していれば、最後に登録されたURI情報により特定されるウェブページに代えてメニュー画面を表示することとしてもよい。
一般にジョブを実行してからの経過時間が長くなるほど、ユーザが改めて同じジョブを実行させる確率は低くなり全く別のジョブを実行させる確率が高くなると考えられる。上記構成によれば、所定期間が経過していれば、最後に登録されたURI情報により特定されるウェブページに代えてメニュー画面が表示される。このように所定期間が経過すればメニュー画面を表示することにより、ユーザの利便性をさらに向上させることができる。
【００１２】
また、前記表示手段は、受け付けられたユーザ識別情報に対応して登録されているURI情報が複数あれば、ユーザにより選択されたURI情報を用いてウェブページを表示することとしてもよい。
上述したようにユーザ識別情報に対応して複数のURI情報が登録されている場合がある。このような場合、上記構成によれば、ユーザにより選択されたURI情報により特定されるウェブページが表示される。したがって、ユーザはURI情報を選択するだけで所望のウェブページを閲覧することができる。
【００１３】
また、前記ジョブ受付手段は、前記ジョブ実行命令を、ユーザ端末を介して受け付け、前記ジョブ実行命令は、さらに、前記ユーザ端末において前記ジョブの対象となるウェブページよりも前に閲覧されていた複数のウェブページを特定する複数のURI情報と前記複数のウェブページのユーザ端末における閲覧順を特定する閲覧順情報とを含み、前記登録手段は、さらに、前記ジョブ実行命令に含まれていた複数のURI情報と閲覧順情報とを前記ユーザ識別情報に対応付けて登録し、前記表示手段は、さらに、ユーザ操作に従って前記複数のウェブページを前記閲覧順情報により特定される閲覧順に表示することとしてもよい。
【００１４】
上記構成によれば、ユーザは容易な操作をするだけで、ユーザ端末において閲覧されていた順番を辿って所望のウェブページを閲覧することができる。
また、前記登録手段は、さらに、ジョブ実行命令に含まれているURI情報により特定されるウェブページにリンクされているウェブページを特定するURI情報をユーザ識別情報に対応付けて登録し、前記表示手段は、リンクされているウェブページを表示させるユーザ操作を受け付けたとき、当該リンクされているウェブページを表示することとしてもよい。
【００１５】
上記構成によれば、ユーザは容易な操作をするだけで、リンクされているウェブページを閲覧することができる。
また、前記ジョブ受付手段は、前記ジョブ実行命令を、ログインをしたユーザから操作パネルを介して受け付け、あるいは、ユーザ端末を介して受け付けることとしてもよい。いずれにしても、ユーザに煩わしさを感じさせずにURI情報を登録することができる。
【００１６】
また、前記ジョブ受付手段は、ログインをしたユーザから操作パネルを介して前記ジョブ実行命令を受け付け、前記表示手段は、さらに、ログアウトをした前記ユーザからログイン命令を受け付けたとき、前記ログアウトをしたときから所定期間が経過していれば、登録されたURI情報により特定されるウェブページに代えてメニュー画面を表示することとしてもよい。
【００１７】
一般にログアウトをしてからの経過時間が長くなるほど、ユーザが再度ログインをしたときに同じジョブを実行させる確率は低くなり全く別のジョブを実行させる確率が高くなると考えられる。上記構成によれば、所定期間が経過していれば、登録されたURI情報により特定されるウェブページに代えてメニュー画面が表示される。このように所定期間が経過すればメニュー画面を表示することにより、ユーザの利便性をさらに向上させることができる。
【発明を実施するための最良の形態】
【００１８】
本発明を実施するための最良の形態を、図面を参照して詳細に説明する。
＜構成＞
図１は、本発明の実施の形態に係るシステム構成を示す図である。
本実施の形態のシステムは、画像形成装置１０、ユーザ端末２０及びウェブサーバ３０を備えている。画像形成装置１０、ユーザ端末２０及びウェブサーバ３０は、ネットワークを介して相互に通信可能である。
【００１９】
図２は、本発明の実施の形態に係る画像形成装置１０の機能ブロック図である。
画像形成装置１０は、ネットワークインターフェース部１１、ウェブデータ受信部１２、画面表示部１３、ジョブ受信部１４、ジョブ解析部１５、ジョブ実行部１６、ジョブ登録部１７、操作制御部１８及びユーザ認証部１９を備える。
ウェブデータ受信部１２は、ネットワークインターフェース部１１を介してウェブデータを受信する。画面表示部１３は、受信されたウェブデータに基づいてウェブページをディスプレイに表示する。このような構成によりウェブページ閲覧機能が実現されている。
【００２０】
ジョブ受信部１４は、ネットワークインターフェース部１１を介してジョブ実行命令を受信する。ジョブ解析部１５は、受信されたジョブ実行命令を解析して、ジョブの種類やジョブの詳細設定を特定する。ジョブの種類とは、例えば、プリント、電子メール送信、BOX保存等である。ジョブの詳細設定とは、例えば、プリントの場合であれば、カラー／モノクロ選択、両面／片面選択、用紙サイズ選択等である。ジョブ実行部１６は、特定された詳細設定を適用して特定された種類のジョブを実行する。ジョブ登録部１７は、実行されたジョブのジョブ情報４０として、ジョブ識別情報４１、ユーザ識別情報４２及びジョブ実行命令の受付時間４８を登録する（図５参照）。
【００２１】
ところで、ウェブページのプリントを実行させるようなジョブ実行命令には、ジョブの対象となるウェブページを特定するためのURL情報（ジョブURL情報４３）が含まれている場合がある。ジョブ登録部１７は、ジョブ実行命令にジョブURL情報４３が含まれていれば、これをジョブ識別情報４１等とともに登録する（図５参照）。
また、上述のジョブ実行命令には、さらに、ユーザ端末におけるウェブページの閲覧履歴情報（複数のURL情報とその閲覧順を特定する閲覧順情報とからなる）が含まれている場合がある。ジョブ登録部１７は、ジョブ実行命令に閲覧履歴情報が含まれていれば、これをジョブ識別情報４１等とともに登録する（図５参照）。図５では、閲覧履歴情報に２つのURL情報が含まれていた場合を例示している。ジョブ登録部１７は、閲覧順を特定する「第１」、「第２」を割り当てて２つのURL情報を登録している。第１履歴URL情報４４とは、ジョブURL情報４３により特定されるウェブページの直前に閲覧されていたウェブページを特定するURL情報である。第２履歴URL情報４５とは、第１履歴URL情報４５により特定されるウェブページの直前に閲覧されていたウェブページを特定するURL情報である。
【００２２】
また、上述のジョブ実行命令には、さらに、Cookie情報４７が含まれている場合がある。ジョブ登録部１７は、ジョブ実行命令にCookie情報４７が含まれていれば、これをジョブ識別情報４１等とともに登録する（図５参照）。
また、ジョブ実行命令自体には含まれていなくてもジョブに関連するURL情報（関連URL情報４６）というものが存在する。例えば、ジョブの対象となるウェブページにリンクされているウェブページを特定するURL情報や、ジョブの対象となる原稿データに含まれているURL情報のことである。これらは、例えば、ジョブURL情報により特定されるウェブデータの中から"a href"等のタグを抽出することにより得ることができる。また、例えば、ジョブの対象となる原稿データにOCR処理を用いて"http://"等の文字列を抽出することにより得ることができる。ジョブ登録部１７は、さらに、関連URL情報４６をジョブ識別情報４１等とともに登録する（図５参照）。
【００２３】
操作制御部１８は、操作パネルにより受け付けられたユーザ操作に基づいて、画面表示部１３にウェブページを表示させたり、ジョブ実行部１６にジョブを実行させたりする。
ユーザ認証部１９は、操作パネルを介してユーザからログイン命令を受け付けたとき、ログイン命令に含まれるユーザ情報と予め登録されているユーザ情報とを照合することによりユーザ認証を実施する。ユーザ情報とは、ユーザ識別情報及びパスワードのことである。
【００２４】
図３は、本発明の実施の形態に係るユーザ端末２０の機能ブロック図である。
ユーザ端末２０は、ネットワークインターフェース部２１、ウェブデータ受信部２２、画面表示部２３、アクセス情報保存部２４、プリンタドライバ２５及び操作制御部２６を備える。
ウェブデータ受信部２２は、ネットワークインターフェース部２１を介してウェブデータを受信する。画面表示部２３は、受信されたウェブデータに基づいてウェブページをディスプレイに表示する。アクセス情報保存部２４は、ウェブページの閲覧履歴及びCookie情報を保存している。このような構成によりウェブページ閲覧機能がサポートされている。
【００２５】
プリンタドライバ２５は、ユーザ操作に基づいてプリントジョブ実行命令を画像形成装置１０に発する。ウェブページをプリントする場合、プリンタドライバ２５は、ジョブURL情報、閲覧履歴情報及びCookie情報をプリント実行命令に含める。
操作制御部２６は、操作パネルにより受け付けられたユーザ操作に基づいて、画面表示部２３にウェブページを表示させたりする。
＜動作＞
図４は、本発明の実施の形態に係る画像形成装置１０がユーザ端末２０からジョブ実行命令を受信したときの動作を示す図である。
【００２６】
画像形成装置１０は、ジョブ実行命令を受信すれば（ステップＳ１０１）、受信されたジョブ実行命令を解析し（ステップＳ１０２）、解析結果に基づいてジョブを実行し（ステップＳ１０３）、実行したジョブを登録する（ステップＳ１０４）。
画像形成装置１０は、受信されたジョブ実行命令にURL情報（ジョブURL情報、閲覧履歴情報）が含まれていれば（ステップＳ１０５：ＹＥＳ）、含まれているURL情報をジョブ識別情報４１等とともに登録する（ステップＳ１０６）。
【００２７】
また、画像形成装置１０は、関連URL情報４６があれば（ステップＳ１０７：ＹＥＳ）、関連URL情報４６をジョブ識別情報４１等とともに登録する（ステップＳ１０８）。
画像形成装置１０は、受信されたジョブ実行命令にCookie情報が含まれていれば（ステップＳ１０９：ＹＥＳ）、含まれているCookie情報をジョブ識別情報４１等とともに登録する（ステップＳ１１０）。
【００２８】
図６は、本発明の実施の形態に係る画像形成装置１０が操作パネルを介してログイン命令を受け付けたときの動作を示す図である。
画像形成装置１０は、ユーザ情報を含むログイン命令を受け付ければ（ステップＳ２０１）、ユーザ認証を行い（ステップＳ２０２）、認証されたユーザに対応して登録されているジョブ情報のうち最新のジョブ情報を取得する（ステップＳ２０３）。最新のジョブ情報は、例えば、複数のジョブ情報の受付時間４８を参照して最後に登録されたかどうかを判定することにより特定することができる。
【００２９】
画像形成装置１０は、取得したジョブ情報にジョブURL情報４３が含まれていれば（ステップＳ２０４：ＹＥＳ）、ジョブURL情報４３により特定されるウェブページをディスプレイに表示する（ステップＳ２０５）。また画像形成装置１０は、取得したジョブ情報にジョブURL情報４３が含まれておらず（ステップＳ２０４：ＮＯ）、関連URL情報４６が含まれていれば（ステップＳ２０６：ＹＥＳ）、関連URL情報４６により特定されるウェブページをディスプレイに表示する（ステップＳ２０７）。また画像形成装置１０は、取得したジョブ情報にジョブURL情報４３及び関連URL情報４６のいずれも含まれていなければ（ステップＳ２０４：ＮＯ、ステップＳ２０６：ＮＯ）、メニュー画面をディスプレイに表示する。なお画像形成装置１０は、ウェブページをウェブサーバ３０から取得するときに、必要に応じてCookie情報を用いる。
【００３０】
画像形成装置１０は、操作パネルから受け付けられたユーザ操作が「プリント」であれば、ディスプレイに表示されているウェブページをプリントする（ステップＳ２０９）。また、画像形成装置１０は、操作パネルから受け付けられたユーザ操作が「ウェブページ変更」であれば、現在表示されているウェブページに代えて別のウェブページをディスプレイに表示する（ステップＳ２１０）。「ウェブページ変更」のユーザ操作は、例えば、タッチパネルに表示された「直前ボタン」、「直後ボタン」、「関連ボタン」等の押下により受け付けられる。
【００３１】
このように本実施の形態に係る画像形成装置１０では、URL情報がジョブ実行命令に含まれていれば、URL情報を用いてウェブページを閲覧することができるようにURL情報が登録される。したがって、ユーザに煩わしさを感じさせずにURL情報を登録することができる。また画像形成装置１０では、操作パネルからユーザ識別情報が入力されれば、登録されたURL情報により特定されるウェブページが表示される。したがってユーザに煩わしさを感じさせずにウェブページを閲覧させることができる。
＜画面例＞
以下に、画像形成装置１０のディスプレイに表示される画面例を示す。
【００３２】
例えば、画像形成装置１０が、最新のジョブ情報として図５に示すジョブAのジョブ情報を取得した場合、ジョブAのジョブ情報にはジョブURL情報４３が含まれているので、ジョブURL情報４３により特定されるウェブページを含む画面６１をディスプレイ（タッチパネル機能を有する）に表示する（図７参照）。画面６１には、ウェブページ以外に、直前ボタン６２、直後ボタン６３、関連ボタン６４、印刷ボタン６５が表示される。
【００３３】
ジョブURL情報４３により特定されるウェブページを含む画面６１が表示されているときに直前ボタン６２が押下されれば、画像形成装置１０は、第１履歴URL情報４４により特定されるウェブページを含む画面７１をディスプレイに表示する（図８参照）。ジョブURL情報４３により特定されるウェブページを含む画面６１が表示されているときに印刷ボタン６５が押下されれば、画像形成装置１０は、ジョブURL情報４３により特定されるウェブページをプリントする。
【００３４】
また、画像形成装置１０は、メニュー画面を表示しているときにジョブリストを表示させるユーザ操作を受け付けたとき、ジョブリストを含む画面８１をディスプレイに表示する（図９参照）。画面８１には、ジョブリストを選択するタブ８２及びURLリストを選択するタブ８３が表示される。画面８１が表示されているときにタブ８３が押下されれば、画像形成装置１０は、URLリストを含む画面９１をディスプレイに表示する（図１０参照）。画面８１が表示されているときに、「ジョブA」が押下されれば、画像形成装置１０はジョブAのジョブ情報を取得して、ジョブURL情報４３により特定されるウェブページを含む画面６１をディスプレイに表示する（図７参照）。
【００３５】
以上、本発明に係る画像形成装置について、実施の形態に基づいて説明したが、本発明はこれらの実施の形態に限られない。例えば、以下のような変形例が考えられる。
（１）実施の形態では、最新のジョブ情報にジョブURL情報４３が含まれていれば、必ずウェブページがディスプレイに表示される。しかしながら、本発明はこれに限らず、例えば、最新のジョブ情報にジョブURL情報４３が含まれていても、ジョブURL情報４３が登録されてから所定期間が経過していれば、ウェブページに代えてメニュー画面が表示されることとしてもよい。このようにすることで、ユーザの利便性をさらに向上させることができる。
（２）実施の形態では、最新のジョブ情報に基づいてウェブページをディスプレイに表示することとしている。しかしながら、本発明はこれに限らず、ユーザ認証が成功すれば、ジョブリスト（図９参照）又はURLリスト（図１０参照）を表示し、ユーザにより選択されたウェブページをディスプレイに表示することとしてもよい。またURLリストでは、URL情報の文字列をそのまま表示することとしてもよいし、URL情報により得られるウェブページをサムネイル表示することとしてもよい。
（３）実施の形態では、画像形成措置がユーザからユーザ端末２０を介してジョブ実行命令を受け付けた場合について説明している。しかしながら、本発明はこれに限らず、画像形成装置がユーザから操作パネルを介してジョブ実行命令を受け付けることとしてもよい。このような場合、例えば、ユーザが画像形成装置にログインし、ブラウザモードを利用してURL情報を入力することにより所望のウェブページを表示させ、表示したウェブページをプルプリントさせたとすると、画像形成装置は、ログイン命令に含まれるユーザ識別情報とプリントされたウェブページを特定するURL情報とを対応付けて登録することになる。そうするとユーザがプリント後に一旦ログアウトしたとしても再度ログインしたときに、画像形成装置の画面表示部には同じウェブページが表示されることになる。したがってユーザに煩わしさを感じさせずにウェブページを閲覧させることができる。
【００３６】
なお、一般にログアウトをしてからの経過時間が長くなるほど、再度ログインをしたユーザが同じウェブページの閲覧を希望する確率は低くなり全く別のジョブを実行させる確率が高くなると考えられる。そこで、再度ログインをしたときにログアウトをしてから所定期間が経過していればメニュー画面を表示することとしてもよい。このようにすればユーザの利便性をさらに向上させることができる。
【産業上の利用可能性】
【００３７】
本発明は、MFP等に利用可能である。
【図面の簡単な説明】
【００３８】
【図１】本発明の実施の形態に係るシステム構成を示す図である。
【図２】本発明の実施の形態に係る画像形成装置１０の機能ブロック図である。
【図３】本発明の実施の形態に係るユーザ端末２０の機能ブロック図である。
【図４】本発明の実施の形態に係る画像形成装置１０がユーザ端末２０からジョブ実行命令を受信したときの動作を示す図である。
【図５】ジョブ情報の一例を示す図である。
【図６】本発明の実施の形態に係る画像形成装置１０が操作パネルを介してログイン命令を受け付けたときの動作を示す図である。
【図７】画像形成装置１０のディスプレイに表示される画面例を示す。
【図８】画像形成装置１０のディスプレイに表示される画面例を示す。
【図９】画像形成装置１０のディスプレイに表示される画面例を示す。
【図１０】画像形成装置１０のディスプレイに表示される画面例を示す。
【符号の説明】
【００３９】
１０    画像形成装置
１１    ネットワークインターフェース部
１２    ウェブデータ受信部
１３    画面表示部
１４    ジョブ受信部
１５    ジョブ解析部
１６    ジョブ実行部
１７    ジョブ登録部
１８    操作制御部
１９    ユーザ認証部
２０    ユーザ端末
２１    ネットワークインターフェース部
２２    ウェブデータ受信部
２３    画面表示部
２４    アクセス情報保存部
２５    プリンタドライバ
２６    操作制御部
３０    ウェブサーバ
【図１】
2008271185.tif 000003
【図２】
2008271185.tif 000004
【図３】
2008271185.tif 000005
【図４】
2008271185.tif 000006
【図５】
2008271185.tif 000007
【図６】
2008271185.tif 000008
【図７】
2008271185.tif 000009
【図８】
2008271185.tif 000010
【図９】
2008271185.tif 000011
【図１０】
2008271185.tif 000012